(57)【特許請求の範囲】
【請求項１】
パネルと、複数のシート材と、を備え、
前記シート材は、
第１主面と第２主面とを有するとともに遮音性を有する遮音シートと、
前記遮音シートの前記第１主面側に固定されるとともに、防炎性を有する防炎シートと、
前記遮音シートの前記第２主面側に固定されるとともに、前記パネルに着脱自在な面ファスナーと、を有し、
前記面ファスナーは、前記遮音シートの端部から離間され、
前記遮音シートの端部と前記面ファスナーとの間に、重ね代が形成され、
一の前記シート材における前記重ね代は、一の前記シート材に隣接する他の前記シート材に重ね合わされること
を特徴とするシート材の取付構造。
【請求項２】
前記遮音シートは、弾性変形可能な樹脂材料であること
を特徴とする請求項１記載のシート材の取付構造。
【請求項３】
前記防炎シートは、前記遮音シートに縫い付けられて固定されること
を特徴とする請求項１又は２記載のシート材の取付構造。
【請求項４】
複数の前記パネルを備え、
前記シート材は、隣接する前記パネル同士に跨って配置される第１シート材と、前記第１シート材に隣接する第２シート材とを有し、
前記第１シート材及び前記第２シート材の何れか一方における前記重ね代は、前記第１シート材及び前記第２シート材の何れか他方に重ね合わされること
を特徴とする請求項１〜３の何れか１項記載のシート材の取付構造。
【請求項５】
前記パネルは、直方体形状に形成され、一対の主面と、一対の前記主面を繋ぐ側面と、を有し、
前記面ファスナーは、
互いに離間されて一対設けられ、
一方の前記面ファスナーは、前記主面に着脱自在であり、
他方の前記面ファスナーは、前記側面に着脱自在であり、
前記シート材は、一対の前記面ファスナーの間に、一対の前記面ファスナーが離間する方向と交わる方向に延びる目地部が形成されること
を特徴とする請求項１〜４の何れか１項記載のシート材の取付構造。
【請求項６】
複数の前記パネルを備え、
各々の前記パネルは、直方体形状に形成され、一対の主面と、一対の前記主面を繋ぐ側面と、を有し、
前記シート材は、隣接する前記パネル同士に跨って配置される第１シート材と、前記パネルの前記主面の略中央に前記パネルよりも小さい第２シート材とを有し、
前記第１シート材及び前記第２シート材の何れか一方における前記重ね代は、前記第１シート材及び前記第２シート材の何れか他方に重ね合わされること
を特徴とする請求項１〜５の何れか１項記載のシート材の取付構造。
【発明の詳細な説明】
【技術分野】
【０００１】
本発明は、シート材の取付構造に関する。
【背景技術】
【０００２】
建造物の壁、天井、床等の改修、解体等に伴う騒音や粉じんを抑制するため、室内等の工事場所に仮設の間仕切りが設けられる。間仕切りは、工事場所を囲うように配置されたパネル同士が連結される。
【０００３】
従来、施工現場で用いられるシート材として、特許文献１の防音シートが開示されている。特許文献１の防音シートは、２枚の樹脂シートの間に、中綿が内包されてなり、２枚の樹脂シート間は、空隙を有した状態で真空である。
【先行技術文献】
【特許文献】
【０００４】
【特許文献１】特開２０１７−１１５４２１号公報
【発明の概要】
【発明が解決しようとする課題】
【０００５】
ところで、工事場所においては、部材の切断等をする際に火の粉が舞う可能性があることから、仮設用のパネルには耐火性等が求められる場合がある。この場合には、仮設用のパネルに、後付けで例えば防炎性を有するシートを複数敷き詰めることも考えられる。しかしながら、これらシートの取付作業に労力を要する。加えて、シートを単に敷き詰めた場合には、防音シート同士の間にどうしても隙間が生じ得る。このため、仮設用のパネルの耐火性を容易に向上させることができない、という問題点がある。
【０００６】
そこで、本発明は、上述した問題点に鑑みて案出されたものであり、その目的とするところは、仮設用のパネルの耐火性を容易に向上させることができる技術を提供することにある。
【課題を解決するための手段】
【０００７】
本発明に係るシート材の取付構造は、パネルと、複数のシート材と、を備え、前記シート材は、第１主面と第２主面とを有するとともに遮音性を有する遮音シートと、前記遮音シートの前記第１主面側に固定されるとともに、防炎性を有する防炎シートと、前記遮音シートの前記第２主面側に固定されるとともに、前記パネルに着脱自在な面ファスナーと、を有し、前記面ファスナーは、前記遮音シートの端部から離間され、前記遮音シートの端部と前記面ファスナーとの間に、重ね代が形成され、一の前記シート材における前記重ね代は、一の前記シート材に隣接する他の前記シート材に重ね合わされることを特徴とする。
【発明の効果】
【０００９】
本発明によれば、仮設用のパネルの耐火性を容易に向上させることができる技術を提供することが可能となる。
【図面の簡単な説明】
【００１０】
【図１】図１は、第１実施形態におけるシート材の取付構造の一例を示す正面図である。
【図２】図２は、図１の１Ａ−１Ａ断面図である。
【図３】図３（ａ）は、第１実施形態におけるシート材の一例を示す正面図であり、図３（ｂ）は、第１実施形態におけるシート材の一例を示す背面図である。
【図４】図４（ａ）は、図４（ｂ）の３Ａ−３Ａ断面図であり、図４（ｂ）は、図３（ｂ）の３Ｂ−３Ｂ断面図である。
【図５】図５は、第１実施形態におけるシート材の取付構造の一例を拡大して示す断面図である。
【図６】図６は、第２実施形態におけるシート材の取付構造の一例を拡大して示す断面図である。
【発明を実施するための形態】
【００１１】
以下、本発明を実施するための形態について、図面を参照しながら詳細に説明する。
【００１２】
（第１実施形態）
図１は、第１実施形態におけるシート材の取付構造１０の一例を示す正面図である。図２は、図１の１Ａ−１Ａ断面図である。図１における二点鎖線は、パネル８を示し、図１における実線は、隣接するパネル８同士の間に跨って配置されるシート材１（第１シート材１−１）を示し、図１における破線は、パネル８の略中央に配置されたパネル８よりも小さいシート材１（第２シート材１−２）を示す。図３（ａ）は、第１実施形態におけるシート材１の一例を示す正面図であり、図３（ｂ）は、第１実施形態におけるシート材１の一例を示す背面図である。図４（ａ）は、図３（ｂ）の３Ａ−３Ａ断面図であり、図４（ｂ）は、図３（ｂ）の３Ｂ−３Ｂ断面図である。
【００１３】
以下、各図において、共通する部分については、共通する参照符号を付し、重複する説明は省略する。
【００１４】
間仕切りは、騒音や粉じん等が発生する工事箇所と、工事箇所の外側とを隔てて設けられる。間仕切りは、例えば室内に設けられる。なお、間仕切りは、屋外に設けられてもよい。
【００１５】
間仕切りは、シート材の取付構造１０を備える。シート材の取付構造１０は、複数の仮設用のパネル８と、仮設のパネル８に取り付けられる複数のシート材１と、備える。
【００１６】
パネル８は、仮設用の板状のパネルである。パネル８は、例えば内部にグラスウール等が内装されて、所定の遮音性を有する仮設用の遮音パネルが用いられる。パネル８は、フェルト状に形成される外面に、後述する面ファスナー４が着脱される。
【００１７】
シート材１は、遮音シート２と、防炎シート３と、面ファスナー４と、を備える。
【００１８】
遮音シート２は、遮音性を有する。遮音シート２は、弾性変形可能であり、例えば高比重物質混入ポリオレフィン等の樹脂材料や、ＥＰＤＭ（エチレン・プロピレン・ジエンゴム）等のゴム弾性体が用いられる。遮音シート２は、板状であり、外形が矩形状に形成される。遮音シート２は、第１主面２１と、第１主面の反対側の第２主面２２とを有する。遮音シート２は、長方形状の短手方向の一対の第１端部２ａと、長手方向の一対の第２端部２ｂと、を有する。
【００１９】
防炎シート３は、防炎性を有する、例えばＰＶＣ（ポリ塩化ビニル）コーティングされたポリエステル、シリカ繊維、ガラスクロス等が用いられる。防炎シート３は、外形が矩形状に形成され、遮音シート２と略同じ大きさである。防炎シート３は、引張に対して所定の伸び性を有する。防炎シート３は、遮音シート２の第１主面２１側に縫い付けられて固定される。防炎シート３は、外周部に遮音シート２に縫い付けられた縫い目７が形成され、遮音シート２に固定される。防炎シート３は、短手方向の略中央部に長手方向に沿って縫い付けられた目地部６が形成され、遮音シート２に固定される。なお、防炎シート３は、遮音シート２の第１主面２１にステープルにより固定されてもよい。防炎シート３は、遮音シート２の第１主面２１に接着剤により固定されてもよい。
【００２０】
面ファスナー４は、遮音シート２の第２主面２２側に固定される。面ファスナー４は、パネル８に着脱自在である。面ファスナー４は、長方形状に形成され、長方形状の短手方向の一対の第１端部４ａと、長手方向の一対の第２端部４ｂと、を有する。面ファスナー４の短手方向の第１端部４ａが、遮音シート２の第１端部２ａから離間される。また、面ファスナー４の長手方向の第２端部４ｂが、遮音シート２の第２端部２ｂから離間される。
【００２１】
シート材１は、遮音シート２の第１端部２ａと面ファスナー４の第１端部４ａとの間に、重ね代５が形成される。また、シート材１は、遮音シート２の第２端部２ｂと面ファスナー４の第２端部４ｂとの間にも、重ね代５が形成される。
【００２２】
面ファスナー４は、互いに間隔を空けて一対に設けられる。面ファスナー４は、パネル８の外面に着脱自在である。面ファスナー４は、外周部に遮音シート２に縫い付けられた縫い目７が形成され、遮音シート２に固定される。なお、面ファスナー４は、遮音シート２の第２主面２２にステープルにより固定されてもよい。面ファスナー４は、遮音シート２の第２主面２２に接着剤により固定されてもよい。
【００２３】
シート材１は、面ファスナー４と面ファスナー４との間に、一対の面ファスナー４、４が離間する方向と交わる方向に延びる目地部６が直線状に形成される。目地部６は、遮音シート２と防炎シート３とが縫い付けられて形成される。なお、目地部６は、遮音シート２に切れ目を入れて形成されてもよい。
【００２４】
図５は、第１実施形態におけるシート材の取付構造１０の一例を拡大して示す断面図である。シート材の取付構造１０では、一のシート材１における重ね代５は、一のシート材１に隣接する他のシート材１に重ね合わされる。
【００２５】
シート材の取付構造１０は、隣接するパネル８同士に跨って配置される第１シート材１−１と、第１シート材１−１に隣接する第２シート材１−２とを有する。第２シート材１−２は、パネル８よりも小さく、パネル８の略中央に配置される。第１シート材１−１における重ね代５は、第２シート材１−２に重ね合わされる。
【００２６】
このとき、遮音シート２は、樹脂材料やゴム弾性体であることから、シート材の取付構造１０では、第１シート材１−１における重ね代５−１は、第２シート材１−２の厚みにより、変形される。また、シート材の取付構造１０では、第２シート材１−２における重ね代５−２は、変形した第１シート材１−１の重ね代５−１が元に戻ろうとする押圧力が作用して、変形され、パネル８に接触される。
【００２７】
なお、本発明では、第２シート材１−２における重ね代５−２が、第１シート材１−１に重ね合わされてもよい。
【００２８】
本実施形態によれば、一のシート材１における重ね代５は、一のシート材１に隣接する他のシート材１に重ね合わされる。これにより、面ファスナー４によりパネル８に取り付けられた複数のシート材１同士の間に隙間が生じるのを防止することができる。このため、防炎シート３を有するシート材１をパネル８に隙間なく敷き詰めることができ、仮設用のパネル８の耐火性を容易に向上させることができる。
【００２９】
本実施形態によれば、遮音シート２は、弾性変形可能な樹脂材料である。これにより、一のシート材１における重ね代５を一のシート材１に隣接する他のシート材１に重ね合わせたとき、一のシート材１における重ね代５は、他のシート材１への重ね合わせにより変形される。また、他のシート材１における重ね代５は、変形した一のシート材１の重ね代５が元に戻ろうとする押圧力が作用して、変形され、パネル８に接触される。このため、一のシート材１と他のシート材１とを密着させることができる。したがって、遮音性を向上させることができる。
【００３０】
さらに、一のシート材１と他のシート材１とが密着されることで、他のシート材１に重ね合わせた一のシート材１における重ね代５と、パネル８と、の間に空気層が形成される。したがって、遮音性を向上させることができる。
【００３１】
本実施形態によれば、防炎シート３は、遮音シート２に縫い付けられて固定される。これにより、防炎シート３における遮音シート２に縫い付けられていない部分については、遮音シート２に対する移動がわずかに許容される。このため、一のシート材１における重ね代５を一のシート材１に隣接する他のシート材１に重ね合わせ、各々のシート材１の重ね代５が変形したとき、防炎シート３は、遮音シート２の変形に追従するように変形する。そして、防炎シート３に作用する引張力を低減させ、防炎シート３の耐久性を向上させることができる。
【００３２】
本実施形態によれば、シート材１は、隣接するパネル８同士に跨って配置される第１シート材１−１と、第１シート材１−１に隣接する第２シート材１−２とを有し、第１シート材１−１における重ね代５は、第２シート材１−２に重ね合わされる。これにより、隣接するパネル８同士の隙間を第１シート材１−１により被覆することができる。このため、パネル８同士の隙間における遮音性を向上させることができる。
【００３３】
本実施形態によれば、シート材１は、遮音シート２の端部と面ファスナー４との間に、重ね代５が形成される。これにより、面ファスナー４によりパネル８に取り付けられた複数のシート材１同士の間に隙間が生じるのを防止することができる。このため、防炎シート３を有するシート材１をパネル８に隙間なく敷き詰めることができ、仮設用のパネル８の耐火性を容易に向上させることができる。
【００３４】
（第２実施形態）
図６は、第２実施形態におけるシート材の取付構造１０の一例を拡大して示す断面図である。
【００３５】
第２実施形態に係るシート材の取付構造１０では、パネル８は、直方体形状に形成され、一対の主面８１、８１と、一対の主面８１、８１を繋ぐ側面８２と、を有する。
【００３６】
シート材１は、互いに離間されて一対の面ファスナー４を有する。一対の面ファスナー４、４の間に、一対の面ファスナー４、４が離間する方向と交わる方向に延びる目地部６が形成される。シート材１−３は、目地部６を境に折り曲げられ、一方の面ファスナー４は、主面８１に着脱自在であり、主面８１に取り付けられる。他方の面ファスナー４は、側面８２に着脱自在であり、側面８２に取り付けられる。
【００３７】
本実施形態によれば、一方の面ファスナー４は、主面８１に着脱自在であり、他方の面ファスナー４は、側面８２に着脱自在であり、シート材１は、一対の面ファスナー４、４の間に、一対の面ファスナー４、４が離間する方向と交わる方向に延びる目地部６が形成される。これにより、シート材１を目地部６に沿って折り曲げやすくすることができる。このため、パネル８の隅部にシート材１を取り付ける際に好適に用いることができ、仮設用のパネル８の耐火性を容易に向上させることができる。
【００３８】
以上、この発明の実施形態のいくつかを説明したが、これらの実施形態は例として提示したものであり、発明の範囲を限定することは意図していない。また、これらの実施形態は、適宜組み合わせて実施することが可能である。さらに、この発明は、上記いくつかの実施形態の他、様々な新規な形態で実施することができる。したがって、上記いくつかの実施形態のそれぞれは、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【００３９】
１０    ：取付構造
１      ：シート材
２      ：遮音シート
２１    ：第１主面
２２    ：第２主面
２ａ    ：第１端部
２ｂ    ：第２端部
３      ：防炎シート
４      ：面ファスナー
４ａ    ：第１端部
４ｂ    ：第２端部
５      ：重ね代
６      ：目地部
７      ：縫い目
８      ：パネル
８１    ：主面
８２    ：側面
【要約】
【課題】仮設用のパネルの耐火性を容易に向上させることができる技術を提供する。
【解決手段】実施形態に係るシート材の取付構造１０は、パネル８と、複数のシート材１と、を備え、シート材１は、第１主面２１と第２主面２２とを有するとともに遮音性を有する遮音シート２と、遮音シート２の第１主面２１側に固定されるとともに、防炎性を有する防炎シート３と、遮音シート２の第２主面２２側に固定されるとともに、パネル８に着脱自在な面ファスナー４と、を有し、面ファスナー４は、遮音シート２の端部から離間され、遮音シート２の端部と面ファスナー４との間に、重ね代５が形成され、一のシート材１における重ね代５は、一のシート材１に隣接する他のシート材１に重ね合わされる。
【選択図】図５【図１】
0006820624.tif 000002
【図２】
0006820624.tif 000003
【図３】
0006820624.tif 000004
【図４】
0006820624.tif 000005
【図５】
0006820624.tif 000006
【図６】
0006820624.tif 000007